(57)【特許請求の範囲】
【請求項１】
レンズを支持するためのレンズ支持体と、
前記レンズ支持体の周囲を囲む枠体と、
前記枠体に対して前記レンズ支持体を前記レンズの光軸方向に移動自在に案内する案内機構と、を有し、
前記案内機構は、前記枠体に形成された第一案内部と、前記レンズ支持体に形成された第二案内部と、前記第一案内部と前記第二案内部との間に配置されたボールと、を有し、
前記第一案内部は、前記ボールを前記第二案内部に押圧する弾性体を有し、
前記ボールは、第一ボール部材と第二ボール部材とを有し、前記第一ボール部材と前記第二ボール部材とは、前記第二案内部を挟むように設けられ、
前記弾性体は、第一弾性部と第二弾性部とを有し、前記第一弾性部は、前記第一ボール部材を押圧し、前記第二弾性部は前記第一弾性部の押圧方向とは反対側に前記第二ボール部材を押圧する
レンズ駆動装置。
【請求項２】
前記第一案内部は押圧面と受圧面とを有し、前記押圧面は、前記弾性体に形成されて前記ボールを押圧し、前記受圧面は前記ボールが当接し、前記レンズの光軸方向と平行に形成され、前記第二案内部は案内面を有し、前記案内面は、前記押圧面からの押圧力を前記ボールを介して受け、前記レンズの光軸方向と平行に形成されている請求項１記載のレンズ駆動装置。
【請求項３】
前記第一案内部は押圧面と、第一受圧面と、第二受圧面と、第三受圧面とを有し、前記押圧面は、前記弾性体に形成されて前記第一ボール部材を押圧し、前記第一受圧面は、前記第一ボール部材が当接し、前記レンズの光軸方向と平行に形成され、前記第二受圧面は、前記第二ボール部材が当接し、前記レンズの光軸方向と平行に形成され、第三受圧面は、前記第二ボール部材が当接し、前記押圧面からの押圧力を前記第一ボール部材、前記第二案内部及び前記第二ボール部材を介して受け、前記レンズの光軸方向と平行に形成され、前記第二案内部は、第一案内面と、第二案内面とを有し、前記第一案内面は前記押圧面からの押圧力を前記第一ボール部材を介して受け、前記レンズの光軸方向と平行に形成され、前記第二案内面は、前記第二ボール部材が当接し、前記レンズの光軸方向と平行に形成されている請求項１記載のレンズ駆動装置。
【請求項４】
前記第一受圧面と前記第二受圧面とは同一平面として構成されている請求項３記載のレンズ駆動装置。
【請求項５】
前記第二案内部は、前記第一ボール部材及び前記第二ボール部材のそれぞれに対応していて、前記レンズ支持体の周方向で互いに離隔して設けられている請求項１記載のレンズ駆動装置。
【請求項６】
前記第二案内部の第一案内面は、前記第一ボール部材を挟む２つの面から構成されている請求項３又は４記載のレンズ駆動装置。
【請求項７】
前記第二案内部の第二案内面は、前記第二ボール部材を挟む２つの面から構成されている請求項３、４又は６記載のレンズ駆動装置。
【請求項８】
前記弾性体は、金属から構成された板ばねである請求項１乃至７いずれか記載のレンズ
駆動装置。
【請求項９】
前記弾性体は、前記枠体と一体に形成された板状の樹脂から構成されている請求項１乃至７いずれか記載のレンズ駆動装置。
【請求項１０】
前記第一案内部は、それぞれ別体であって前記枠体を構成する第一枠体及び第二枠体を用いて形成されている請求項１乃至９いずれか記載のレンズ駆動装置。
【請求項１１】
前記弾性体が押圧する向きが略等しい２つの前記案内機構が対称に設けてある請求項１乃至１０いずれか記載のレンズ駆動装置。
【請求項１２】
請求項１乃至１１いずれか記載のレンズ駆動装置と、前記レンズ支持体に支持されたレンズと、前記レンズからの光を受ける受光センサと、を備えたカメラ装置。
【請求項１３】
請求項１２記載のカメラ装置を備えた電子機器。
【発明の詳細な説明】
【技術分野】
【０００１】
本発明は、レンズ駆動装置、カメラ装置及び電子機器に関する。
【背景技術】
【０００２】
携帯電話やスマートフォン等の電子機器には、小型カメラが搭載されている。この種の小型カメラとして、例えば特許文献１に示すように、オートフォーカス機能を備えたものが知られている。
【先行技術文献】
【特許文献】
【０００３】
【特許文献１】特開２０１２−９３５５８号公報
【発明の概要】
【発明が解決しようとする課題】
【０００４】
上記特許文献１においては、レンズを支持するレンズ支持体と、このレンズ支持体の周囲に設けられた枠体とを有し、レンズ支持体を枠体に対して移動自在に支持するため、複数のボールが用いられている。
【０００５】
しかしながら、レンズ支持体、枠体及びボールのそれぞれの間隔を適切に確保するのが困難であり、レンズ支持体の動きが渋かったり、ガタを生じたりし、レンズ支持体の動きが安定しない場合があるという問題点があった。
【０００６】
本発明は、上記従来の問題点を解消し、レンズ支持体の動きを安定させることができるレンズ駆動装置、カメラ装置及び電子機器を提供することを目的とする。
【課題を解決するための手段】
【０００７】
本発明の一つの態様はレンズ駆動装置であり、レンズを支持するためのレンズ支持体と、前記レンズ支持体の周囲を囲む枠体と、前記枠体に対して前記レンズ支持体を前記レンズの光軸方向に移動自在に案内する案内機構と、を有し、前記案内機構は、前記枠体に形成された第一案内部と、前記レンズ支持体に形成された第二案内部と、前記第一案内部と前記第二案内部との間に配置されたボールと、を有し、前記第一案内部は、前記ボールを前記第二案内部に押圧する弾性体を有する。
【０００８】
好適には、前記第一案内部は押圧面と受圧面とを有し、前記押圧面は、前記弾性体に形成されて前記ボールを押圧し、前記受圧面は前記ボールが当接し、前記レンズの光軸方向と平行に形成され、前記第二案内部は案内面を有し、前記案内面は、前記押圧面からの押圧力を前記ボールを介して受け、前記レンズの光軸方向と平行に形成されている。
【０００９】
また、好適には、前記ボールは、第一ボール部材と第二ボール部材とを有し、前記第一ボール部材と前記第二ボール部材とは、前記第二案内部を挟むように設けられている。
【００１０】
また、好適には、前記第一案内部は押圧面と、第一受圧面と、第二受圧面と、第三受圧面とを有し、前記押圧面は、前記弾性体に形成されて前記第一ボール部材を押圧し、前記第一受圧面は、前記第一ボール部材が当接し、前記レンズの光軸方向と平行に形成され、前記第二受圧面は、前記第二ボール部材が当接し、前記レンズの光軸方向と平行に形成され、前記第三受圧面は、前記第二ボール部材が当接し、前記押圧面からの押圧力を前記第一ボール部材、前記第二案内部及び前記第二ボール部材を介して受け、前記レンズの光軸方向と平行に形成され、前記第二案内部は、第一案内面と、第二案内面とを有し、前記第一案内面は前記押圧面からの押圧力を前記第一ボール部材を介して受け、前記レンズの光軸方向と平行に形成され、前記第二案内面は、前記第二ボール部材が当接し、前記レンズの光軸方向と平行に形成されている。
【００１１】
また、好適には、前記第一案内面と前記第二案内面とは同一平面として構成されている。
【００１２】
また、好適には、前記弾性体は、第一弾性部と第二弾性部とを有し、前記第一弾性部は、前記第一ボール部材を押圧し、前記第二弾性部は前記第一弾性部の押圧方向とは反対側に前記第二ボール部材を押圧する。
【００１３】
また、好適には、前記第二案内部は、前記第一ボール部材及び前記第二ボール部材のそれぞれに対応していて、前記レンズ支持体の周方向で互いに離隔して設けられている。
【００１４】
また、好適には、前記第二案内部の第一案内面は、前記第一ボール部材を挟む２つの面から構成されている。また、前記第二案内部の第二案内面は、前記第二ボール部材を挟む２つの面から構成されている。
【００１５】
また、好適には、前記弾性体は、金属から構成された板ばね、又は前記枠体と一体に形成された板状の樹脂から構成されている。
【００１６】
また、好適には、前記第一案内部は、それぞれ別体であって前記枠体を構成する第一枠体及び第二枠体を用いて形成されている。また、好適には、前記弾性体が押圧する向きが略等しい２つの前記案内機構が対称に設けてある。
【００１７】
本発明の他の態様は、前記レンズ駆動装置と、前記レンズ支持体に支持されたレンズと、前記レンズからの光を受ける受光センサと、を備えたカメラ装置である。
【００１８】
本発明の他の態様は、前記カメラ装置を搭載した電子機器である。
【発明の効果】
【００１９】
本発明によれば、枠体側の第一案内部に弾性体を設け、この弾性体によりボールをレンズ支持体側の第二案内部に押し付けるようにしたので、第一案内部と第二案内部とボールとは常に接触して一定の力で押し付け合っており、レンズ支持体の動きを安定させることができる。
【図面の簡単な説明】
【００２０】
【図１】本発明の第一実施形態に係るレンズ駆動装置を示し、カバーとレンズバレルを省略した平面図である。
【図２】本発明の第一実施形態に係るレンズ駆動装置を示し、図１のＡ−Ａ線断面図である。
【図３】本発明の第一実施形態に係るレンズ駆動装置を示し、カバーとレンズバレルを省略した斜視図である。
【図４】本発明の第一実施形態に係るレンズ駆動装置の要部を示す平面図である。
【図５】本発明の第二実施形態に係るレンズ駆動装置の要部を示す平面図である。
【図６】本発明の第三実施形態に係るレンズ駆動装置の要部を示す平面図である。
【図７】本発明の第四実施形態に係るレンズ駆動装置の要部を示す平面図である。
【図８】本発明の第五実施形態に係るレンズ駆動装置の要部を示す平面図である。
【図９】本発明の第六実施形態に係るレンズ駆動装置の要部を示す平面図である。
【図１０】本発明の第七実施形態に係るレンズ駆動装置の要部を示す平面図である。
【図１１】本発明の第八実施形態に係るレンズ駆動装置を示す断面図である。
【図１２】本発明の第九実施形態に係るレンズ駆動装置の要部を示す平面図である。
【発明を実施するための形態】
【００２１】
本発明の実施形態を図面に基づいて説明する。
【００２２】
図１乃至図３は、本発明の第一実施形態に係るレンズ駆動装置１０を示す。このレンズ駆動装置１０はカメラ装置に組み込まれて携帯電話やスマートフォン等の電子機器に搭載される。
レンズ駆動装置１０は、移動部材であるレンズ支持体１２と、固定部材である枠体１４とを有する。枠体１４は樹脂製で、上方から見て方形状であり、底部１６と、この底部１６の四辺から上方に向けて立ち上がる側壁部１８ａ〜１８ｄとを有する。図２に示すように、枠体１４の上方及び側方にはカバー２０が嵌められている。
なお、この明細書においては、便宜上、レンズ駆動装置１０の光軸方向の一方を上方、他方を下方と称する。
【００２３】
レンズ支持体１２は樹脂製で、上方から見て略円形に形成され、このレンズ支持体１２の周囲が枠体１４に囲まれている。図２に示すように、このレンズ支持体１２の内側には、単数又は複数のレンズが収容されたレンズバレル２２が嵌められるようになっている。
【００２４】
駆動ユニット２４は、この実施形態においては、コイル２６と磁石２８とから構成されている。コイル２６は、２つの直線部の両側を半円部で接続した構成となっている。このコイル２６は、枠体１４の側壁部１８ａに固定されている。磁石２８は、上方から見て略三角形に形成され、コイル２６に対向するように、レンズ支持体１２の両側に固定されている。
【００２５】
案内機構３２は、駆動ユニット２４の反対側にあって、２つの角部に対称に設けられている。この案内機構３２は、枠体１４に対してレンズ支持体１２をレンズの光軸方向に移動自在に案内する。この案内機構３２は、枠体１４に形成された第一案内部３４と、レンズ支持体１２に形成された第二案内部３６と、第一案内部３４と第二案内部３６と間に配置されたボール４０とを有する。
【００２６】
ボール４０は、第一ボール部材４２と第二ボール部材４４とから構成されている。第一ボール部材４２と第二ボール部材４４とは、上から見て左右に（後述する押圧方向に）離間して並べられており、上下方向ではそれぞれ３個配置されている。この第一ボール部材４２と第二ボール部材４４とは、枠体１４の角部方向へ向けて突出した突出部４６を挟むように配置され、該第一ボール部材４２と第二ボール部材４４とを介してレンズ支持体１２が枠体１４に対して上下動自在であるように支持している。
【００２７】
弾性体４８は、例えば銅、鉄、ステンレス等の金属から成る板ばねであり、枠体１４の側壁部１８ｃ内側中央付近に例えば２つのボルト５０により固定されている。枠体１４に接着固定しても良いし、インサート成型等で一体に形成しても良い。図３に示すように、この中央付近の部分は強固に固定できるように板ばねの上下方向及び左右方向の寸法が大きい。また、この弾性体４８の左右両側は自由端となっており、第一ボール部材４２をコイル２６方向に押圧している。この両側部分は上下に並ぶ第一ボール部材４２を押圧するために上下方向の寸法が大きい。また、この中央付近の部分と両側部分の間の部分は適切な押圧力とするために上下方向の寸法を異ならせて（小さくして）いる。また、適切な押圧力とするために、この部分の板厚を異ならせても良い。
【００２８】
なお、枠体１４の側壁部１８ｄの内側には、レンズ支持体１２の位置を検出する位置検知部（図示せず）が設けられている。また、枠体１４の底部１６には孔が形成され、さらにフィルタ（図示せず）を介して受光センサ（図示せず）が設けられる。位置検知部によりレンズ支持体１２の位置を検知し、検知されたレンズ支持体１２の位置に基づいてコイル２６への通電を制御し、レンズ支持体１２を動かして受光センサに焦点を合わせるようになっている。
【００２９】
図４には、側壁部１８ｄと側壁部１８ｃの角部に設けた案内機構３２の詳細が示されている。
弾性体４８は、レンズの光軸方向と平行に形成された押圧面５２を有する。この押圧面５２は、第一ボール部材４２に当接して弾性変形して第一ボール部材４２を押圧面５２と直交する方向に押圧している。
【００３０】
枠体１４の側壁部１８ｄには、第一ボール部材４２が当接する第一受圧面５４がレンズの光軸方向と平行に形成されている。また、枠体１４の側壁部１８ｄには、第二ボール部材４４が当接する第二受圧面５６がレンズの光軸方向と平行に形成されている。この実施形態においては、第一受圧面５４と第二受圧面５６とは同一の平面として形成され、押圧面５２とは直交する方向に形成されている。
【００３１】
また、枠体１４の側壁部１８ｄには、第一ボール部材４２、レンズ支持体１２の突出部４６及び第二ボール部材４４を介して、弾性体１４からの押圧力を受ける第三受圧面５８が形成されている。この第三受圧面５８は、レンズの光軸方向と平行で、第一受圧面５４及び第二受圧面５６とは直交する方向に形成されている。
【００３２】
レンズ支持体１２の突出部４６には、第一ボール部材４２を介して弾性体１４からの押圧力を受ける第一案内面６０が形成されている。この第一案内面６０は、レンズの光軸方向と平行で、押圧面５２及び第一受圧面５４とは例えば４５度の角度となるように形成されている。また、レンズ支持体１２の突出部４６には、第二ボール部材４４が当接する第二案内面６２が形成されている。この第二案内面６２は、レンズの光軸方向と平行で、第一案内面６０とは直交し、また、第二受圧面５６及び第三受圧面５８とは例えば４５度の角度となるように形成されている。
【００３３】
この実施形態においては、第一ボール部材４２は、押圧面５２、第一受圧面５４及び第一案内面６０の三面に密接し、第二ボール部材４４は、第二受圧面５６、第三受圧面５８及び第二案内面６２の三面に密接している。また、弾性体４８が押圧する向きが略等しい案内機構３６が側壁部１８ｂと側壁部１８ｃの角部にも対称に設けてある。そして、第一ボール部材４２及び第二ボール部材４４は、弾性体４８の押圧面５２から押圧力を受けるので、上から見て安定した位置で回転する。レンズ支持体１２は、このように安定した位置を保つ第一ボール部材４２と第二ボール部材４４に挟まれているので、レンズの光軸方向に安定して動くことができる。即ち、第一案内部３４と第二案内部３６とボール４０とは常に接触して一定の力で押し付け合っており、レンズ支持体１２の動きを安定させることができる。
【００３４】
図５には、本発明に係る第二実施形態が示されている。
前述した第一実施形態における弾性体４８が金属の板ばねから構成されていたのに対し、この第二実施形態においては、弾性体４８は、枠体１４と一体に形成された板状の樹脂から構成されて、第一ボール部材４２を押圧するようになっている。そのため、安価に製造できる。該弾性体４８の根本部分には、肉厚を薄くした切欠き部６４が付与され、弾性変形しやすくしてある。
【００３５】
この第二実施形態においても第一実施形態と同様に、弾性体４８は、レンズの光軸方向と平行に形成された押圧面５２を有する。この押圧面５２は、第一ボール部材４２に当接して弾性変形して第一ボール部材４２を押圧している。
【００３６】
また、枠体１４には、第一ボール部材４２が当接する第一受圧面５４がレンズの光軸方向と平行に形成されている。また、枠体１４には、第二ボール部材４４が当接する第二受圧面５６がレンズの光軸方向と平行に形成されている。この実施形態においては、第一受圧面５４と第二受圧面５６とは同一の平面として形成され、押圧面５２とは直交する方向に形成されている。
【００３７】
また、枠体１４には、第一ボール部材４２、レンズ支持体１２及び第二ボール部材４４を介して、弾性体４８からの押圧力を受ける第三受圧面５８が形成されている。この第三受圧面５８は、レンズの光軸方向と平行で、第一受圧面５４及び第二受圧面５６とは直交する方向に形成されている。
【００３８】
レンズ支持体１２の突出部４６には、第一ボール部材４２を介して弾性体１４からの押圧力を受ける第一案内面６０が形成されている。この第一案内面６０は、レンズの光軸方向と平行で、押圧面５２及び第一受圧面５４とは例えば４５度の角度となるように形成されている。また、レンズ支持体１２には、第二ボール部材４４が当接する第二案内面６２が形成されている。この第二案内面６２は、レンズの光軸方向と平行で、第二受圧面５６及び第三案内面５８とは例えば４５度の角度となるように形成されている。
【００３９】
図６には、本発明に係る第三実施形態が示されている。
この第三実施形態は、第二実施形態と比較すると、弾性体４８が第一弾性部４８ａと第二弾性部４８ｂとから構成されている点が異なる。即ち、第一弾性部４８ａは、第一ボール部材４２を押圧し、第二弾性部４８ｂは、第一弾性部４８ａの押圧方向とは反対側に第二ボール部材４４を押圧するように形成されている。第一弾性部４８ａ及び４８ｂの前記弾性体は、枠体１４と一体に形成され、それぞれの根本部分には、肉厚を薄くした切欠き部６４が付与されている。
【００４０】
第一弾性部４８ａには、第一ボール部材４２を押圧する第一押圧面５２ａが形成されている。また、第二弾性部４８ｂには、第二ボール部材４４を押圧する第二押圧面５２ｂが形成されている。また、第二案内部３６は、第一押圧面５２ａからの押圧力を第一ボール部材４２を介して受ける第一案内面６０と、第二押圧面５２ｂからの押圧力を第二ボール部材４４を介して受ける第二案内面６２とが形成されている。第一押圧面５２ａ及び第二押圧面５２ｂはそれぞれ相手側からの押圧力を受ける第三受圧面５８を兼ねている。
なお、第二実施形態と同様な部分については、同じ符号を付して説明を省略する。
【００４１】
図７には、本発明に係る第四実施形態が示されている。
この第四実施形態は、前述した第一実施形態と比較すると、第二案内部３６の第一案内面６０を２つの面から構成し、第一ボール部材４２が当接する第一受圧面５４を設けていない点が異なる。即ち、第一案内面６０の２つの面は、レンズの光軸方向と平行であり、互いに直交し、且つ弾性体４８の押圧面５２とは、例えば４５度の角度となるように形成されている。第一ボール部材４２は、この２つの面に挟まれる形となる。押圧面５２からの押圧力は第一案内面６０の２つの面で受けられるので、第一ボール部材４２の位置を安定させることができる。
なお、第一実施形態と同様な部分については、同じ符号を付して説明を省略する。
【００４２】
図８には、本発明に係る第五実施形態が示されている。
この第五実施形態は、前述した第四実施形態と比較すると、以下の構成を変更している。即ち、第一案内部３４の第一受圧面５４は、第一ボール部材４２に当接し、第一ボール部材４２を介して押圧面５２からの押圧力を受けるように、押圧面５２とは例えば４５度となるように形成されている。また、第二案内部３６の第二案内面６２を２つの面から構成し、第二ボール部材４４が当接する第二受圧面５６を設けていない。即ち、第一ボール部材４２は押圧面５２、第一受圧面５４及び第一案内面６０の三面で囲まれている。また、第二案内面６２の２つの面は、レンズの光軸方向と平行であり、互いに直交し、且つ弾性体４８の押圧面５２とは、例えば４５度の角度となるように形成されている。第二ボール部材４４は、第二案内面５６の２つの面に挟まれる形となる。第二ボール部材４４は、第二案内面６２の２つの面及び第三受圧面５８の三面で囲まれ、第二ボール部材４４の位置を安定させることができる。
なお、第四実施形態と同様な部分については、同じ符号を付して説明を省略する。
【００４３】
図９には、本発明に係る第六実施形態が示されている。
この第六実施形態は、前述した第五実施形態と比較すると、第一案内部３４の第一受圧面５４が押圧面５２とは直交する方向に形成されている点が異なる。
なお、第五実施形態と同様な部分については、同じ符号を付して説明を省略する。
【００４４】
図１０には、本発明に係る第七実施形態が示されている。
第一実施形態から第六実施形態までは、案内機構３２が駆動ユニット２４の反対側の２つの角部に設けられている例を示したが、この第七実施形態においては、案内機構３２がレンズ駆動装置１０の４つの角部に設けられている。
【００４５】
この第七実施形態では前述した第六実施形態と比較すると、以下の構成を変更している。即ち、案内機構３２は、第一ボール部材４２と第二ボール部材４４が、それぞれ隣り合う角部に配置されるように構成されている。このとき、第二案内部３６は、第一ボール部材４２及び第二ボール部材４４のそれぞれに対応していて、レンズ支持体１２の周方向で互いに離隔して設けられている。また、突出部４６が設けられておらず、レンズ支持体１２に直接第一案内面６０及び第二案内面６２が形成されている。また、第一受圧面５４が押圧面５２の外側に設けられているとともに第一案内面６０が９０度反転している。この第七実施形態では、第六実施形態と同様に、第一ボール部材４２は、弾性体４８の押圧面５２に押圧され、この押圧面５２からの押圧力が第二案内部３６の第一案内面６０で受けられる。第二ボール部材４４は、第一案内部３４の第三案内面５８、第二案内部３６の第二案内面６２の２つの面に当接し、レンズ支持体１２を移動自在に支持している。レンズ支持体１２全体を４つの角部で支持しているのでレンズ支持体１２を、より安定して支持しやすい。
なお、第六実施形態と同様な部分については、同じ符号を付して説明を省略する。
【００４６】
図１１には、本発明に係る第八実施形態が示されている。
第八実施形態においては、枠体１４は、第一枠体１４ａと第二枠体１４ｂとにより構成されている。第二枠体１４ｂに磁石２８が設けられ、レンズ支持体１２にコイル２６が設けられている。
【００４７】
第一枠体１４ａは、組立時には第二枠体１４ｂに対して少なくとも押圧方向に摺動自在であるように載置されている。この第一枠体１４ａの内側には、弾性体４８が固定されている。組立時においては、第一枠体１４ａの押圧方向の位置を調節し、弾性体４８による第一ボール部材４２への押圧力を調整し、第一枠体１４ａを第二枠体１４ｂに固定するようになっている。
なお、第一実施形態と同様な部分については、同じ符号を付して説明を省略する。
【００４８】
図１２には、本発明に係る第九実施形態が示されている。
この第九実施形態は、第八実施形態と同様に、枠体１４が第一枠体１４ａと第二枠体１４ｂから構成されている点を除いて、第一実施形態と同じである。
なお、第一実施形態と同様な部分については、同じ符号を付して説明を省略する。
【００４９】
なお、このレンズ駆動装置１０はフォーカス調整機能を有するものであるが、さらにズーム機能や手振れ補正機能を有するものに適用することができる。また、この明細書では、カメラ装置に用いられるレンズ駆動装置について説明したが、本発明は、他の装置にも適用することができる。
【符号の説明】
【００５０】
１０    レンズ駆動装置
１２    レンズ支持体
１４    枠体
２４    駆動ユニット
２６    コイル
２８    磁石
３２    案内機構
３４    第一案内部
３６    第二案内部
４０    ボール
４２    第一ボール部材
４４    第二ボール部材
４８    弾性体
４８ａ    第一弾性部
４８ｂ    第二弾性部
５２    押圧面
５４    第一受圧面
５６    第二受圧面
５８    第三受圧面
６０    第一案内面
６２    第二案内面
【図１】
0006765212.tif 000002
【図２】
0006765212.tif 000003
【図３】
0006765212.tif 000004
【図４】
0006765212.tif 000005
【図５】
0006765212.tif 000006
【図６】
0006765212.tif 000007
【図７】
0006765212.tif 000008
【図８】
0006765212.tif 000009
【図９】
0006765212.tif 000010
【図１０】
0006765212.tif 000011
【図１１】
0006765212.tif 000012
【図１２】
0006765212.tif 000013